(57)【要約】【課題】コネクタを確実かつ容易に接続できる。【解決手段】コネクタは、前後方向に沿ってキャビティ１１が貫通して形成されたハウジング本体１０と、キャビティ１１内へ挿入可能で電線５０の端末部に接続された端子金具４０と、この端子金具４０を保持しハウジング本体１０の後面側に装着可能なホルダー２０とを備えている。ホルダー２０は、同ホルダーをハウジング本体１０に装着する際に、端子金具４０をキャビティ１１の貫通方向と同方向を向いた姿勢に保持しつつキャビティ１１内に挿入可能となっている。【選択図】図１
2010055805.tif 000002
【特許請求の範囲】
【請求項１】
前後方向に沿ってキャビティが貫通して形成されたハウジング本体と、
前記キャビティ内へ挿入可能で電線の端末部に接続された端子金具と、
この端子金具を保持し前記ハウジング本体の後面側に装着可能なホルダーとを備えたコネクタであって、
前記ホルダーは、同ホルダーを前記ハウジング本体に装着する際に、前記端子金具を前記キャビティの貫通方向と同方向を向いた姿勢に保持しつつ前記キャビティ内に挿入可能となっていることを特徴とするコネクタ。
【請求項２】
前記ホルダーには、前記端子金具の後端部が当接することで端子金具の取り付け姿勢を矯正する矯正面が形成されていることを特徴とする請求項１に記載のコネクタ。
【請求項３】
前記ハウジング本体と前記ホルダーとの間には、前記端子金具を対応する前記キャビティへ挿入する動作に伴って抜け止めされた状態にし、前記ホルダーを前記ハウジング本体に装着可能とするロック機構が設けられていることを特徴とする請求項１又は請求項２に記載のコネクタ。
【請求項４】
前記ホルダーは、前記ハウジング本体の高さ方向あるいは幅方向に複数個を合体可能に形成されていることを特徴とする請求項１乃至請求項３のいずれかに記載のコネクタ。
【発明の詳細な説明】
【技術分野】
【０００１】
本発明は、コネクタに関するものである。
【背景技術】
【０００２】
一般に、コネクタハウジングには複数のキャビティが前後方向に沿って貫通して形成され、端子金具は後方から対応するキャビティ内へと挿入される。こうしたコネクタの一例として特許文献１を挙げることができる。
【０００３】
【特許文献１】特開平９−１９９２４５号公報
【発明の開示】
【発明が解決しようとする課題】
【０００４】
上記した端子金具は電線の端末部にかしめによって接続されており、キャビティへの挿入に際しては電線の端末部を把持しつつ端子金具の前端をキャビティの後端の入口に宛がい、そのまま押し込む、といった作業を繰り返すことになる。しかし、電線には巻き癖が付き易いため、電線の端末部を把持したときに、端子金具が正しくキャビティの入口に向かっていないことがある。そうなると、端子金具の円滑な挿入作業に支障を来たす虞が生じる。
【０００５】
本発明は上記のような事情に基づいて完成されたものであって、端子金具をキャビティ内へ円滑に挿入することができるコネクタを提供することを目的とする。
【課題を解決するための手段】
【０００６】
上記の目的を達成するための手段として、請求項１の発明は、前後方向に沿ってキャビティが貫通して形成されたハウジング本体と、前記キャビティ内へ挿入可能で電線の端末部に接続された端子金具と、この端子金具を保持し前記ハウジング本体の後面側に装着可能なホルダーとを備えたコネクタであって、前記ホルダーは、同ホルダーを前記ハウジング本体に装着する際に、前記端子金具を前記キャビティの貫通方向と同方向を向いた姿勢に保持しつつ前記キャビティ内に挿入可能となっているところに特徴を有する。
【０００７】
請求項２の発明は、請求項１に記載のものにおいて、前記ホルダーには、前記端子金具の後端部が当接することで端子金具の取り付け姿勢を矯正する矯正面が形成されているところに特徴を有する。
【０００８】
請求項３の発明は、請求項１又は請求項２に記載のものにおいて、前記ハウジング本体と前記ホルダーとの間には、前記端子金具を対応する前記キャビティへ挿入する動作に伴って抜け止めされた状態にし、前記ホルダーを前記ハウジング本体に装着可能とするロック機構が設けられているところに特徴を有する。
【０００９】
請求項４の発明は、請求項１乃至請求項３のいずれかに記載のものにおいて、前記ホルダーは、前記ハウジング本体の高さ方向あるいは幅方向に複数個を合体可能に形成されているところに特徴を有する。
【発明の効果】
【００１０】
＜請求項１の発明＞
端子金具はホルダーに対しキャビティの貫通方向と同方向を向いた姿勢で保持される。したがって、ホルダーをコネクタ本体の後面側に装着すれば、端子金具をそのままキャビティ内に円滑に挿入することができる。
＜請求項２の発明＞
端子金具の後端部を矯正面に当接させることにより、端子金具のホルダーに対する取り付け姿勢を容易に矯正することができる。
＜請求項３の発明＞
ロック機構により、ホルダーをハウジング本体に装着すると、端子金具がキャビティ内に抜け止め保持される。つまり、ロック機構は端子金具に対して抜け止め力を付与することができる。
＜請求項４の発明＞
複数個のホルダーの組み合わせを変更することにより、形状が相違するハウジング本体や、キャビティ数の異なるハウジング本体に対応することができる。また、個々のホルダーを小型にし、容易に製造することができる。
【発明を実施するための最良の形態】
【００１１】
＜実施形態１＞
以下、本発明を具体化した実施形態１を図１乃至図４を参照して説明する。本実施形態１のコネクタは、ハウジング本体１０と、端子金具４０と、ハウジング本体１０とともにコネクタハウジングを構成するホルダー２０とを備えている。ハウジング本体１０には、前後方向に沿って貫通するキャビティ１１が上下２段及び左右３列に並んで形成されている。各キャビティ１１の後ろ側開口１２から端子金具４０が挿入される。各キャビティ１１の前側開口１３から図示しない雄形の相手端子に形成された細長い雄タブが挿入される。また、各キャビティ１１の内部には図示しないランスが形成され、端子金具４０と弾性的に係止して端子金具４０を抜け止め状態に保持する。ハウジング本体１０の左右側面には、図３に示すように、一対の係合突起１４が一体的に形成されている。係合突起１４の後面は、後方から前方に向けて外側に広がる方向に傾斜した案内部１５を形成している。
【００１２】
端子金具４０は、所定形状に打ち抜いた金属板材に曲げ加工等を施すことによって形成された雌形のものである。端子金具４０の前端側部分には、角筒状をなし、雄タブが挿入され接続される端子接続部４１が形成されている。
【００１３】
端子金具４０の後端側部分には、ワイヤーバレル部４２と、ワイヤーバレル部４２より後方に位置するインシュレーションバレル部４３とが形成されている。ワイヤーバレル部４２は電線５０の末端部の被覆が除去され露出した芯線５１をかしめにより圧着し、インシュレーションバレル部４３は電線５０の末端部の被覆部をかしめにより圧着することにより、端子金具４０が電線５０に接続されている。
【００１４】
ホルダー２０には、端子金具４０が接続された電線５０を把持する把持部２１が上下２段及び左右３列に並んで形成されている。各把持部２１は、ハウジング本体１０の各キャビティ１１に対応して設けられている。各把持部２１は、ホルダー２０を前後方向に沿って貫通し、電線５０の径よりも僅かに小さい径を有する略円筒形状の貫通孔である。上段の各把持部２１は、図２に示すように、全長に亘って上方へ開放し、挿通溝２２が形成されている。逆に、下段の各把持部２１は、全長に亘って下方へ開放し、同様に挿通溝が形成されている。
【００１５】
ホルダー２０の前面には、把持部２１の前側開口の周縁部に矯正面２３が形成されている。この矯正面２３に端子金具４０のインシュレーションバレル部４３の後端縁を全長さ範囲に亘って、つまり周方向に沿って当接させることにより端子金具４０の取り付け姿勢を矯正することができる。ホルダー２０の前面は矯正面２３を含む平坦な面に形成されているため、端子金具４０はホルダー２０の前面に対して直角方向に延びるように矯正されて取り付けられる。このため、ホルダー２０をハウジング本体１０の後面側に装着する際に、電線５０に巻き癖（曲げ癖）が付いていても、端子金具４０を確実にキャビティ１１の貫通方向と同方向を向いた姿勢に保持することができ、キャビティ１１内に容易に挿入することができる。
【００１６】
ホルダー２０の左右側面には、図３に示すように、一対の係止片３０が前方に向けて延びている。各係止片３０の前方部には、ハウジング本体１０の左右側面の係合突起１４に係合する係合孔３１が形成されている。
【００１７】
このような構成を有するコネクタは以下に示すように組み付けられる。
【００１８】
先ず、端子金具４０が接続された電線５０をホルダー２０の上方又は下方から挿通溝２２に挿通し、上段又は下段の把持部２１に圧入する。電線５０の被覆は弾性力を有するため、ホルダー２０の把持部２１に電線５０を圧入することができる。
【００１９】
次に、ホルダー２０の後方に延出した電線５０を後方に引き、端子金具４０の後端部４４を矯正面２３に当接させる。これにより、電線５０は把持部２１に把持され、端子金具４０はホルダー２０の前面に対して直角方向に延びた姿勢に矯正される。このようにして、６個の端子金具４０がホルダー２０に保持される。
【００２０】
次に、ホルダー２０に保持された各端子金具４０を対応するキャビティ１１の貫通方向と同方向を向いた姿勢になるように、ホルダー２０をハウジング本体１１の後方に配置する。この状態からホルダー２０をハウジング本体１１の後面側へ近づけ、各端子金具４０を対応するキャビティ１１内に一括に挿入する。各端子金具４０が各キャビティ１１の貫通方向と同方向を向いた姿勢でホルダー２０に対して保持されているため、ホルダー２０をコネクタ本体１９の後面側に装着すれば、各端子金具４０をそのままキャビティ１１内に円滑に挿入することができる。
【００２１】
この間、各端子金具４０を対応するキャビティ１１へ挿入する動作に伴って、ホルダー２０の左右側面から延びる各係止片３０の先端部が各係合突起１４の案内部１６に案内されて、各係止片３０に形成された係合孔３１にハウジング本体１０に形成された係合突起１４が嵌まり込む。こうして、ホルダー２０がハウジング本体１０にロックされると、各端子金具４０はキャビティ１１内へ正規深さまで挿入され、図示しないランスに係止されて抜け止めされる。
【００２２】
なお、ホルダー２０がハウジング本体１０の後面側に装着された状態では、インシュレーションバレル部４３の後端縁がホルダー２０の矯正面２３に係止されるため、端子金具４０はランスによる係止と併せて２重に抜け止めされる。したがって、通常に使用されるリテーナが不要となる。また、端子金具４０がキャビティ１１内の正規な位置に挿入されたか否かを係合突起１４と係合孔３１との係合の成否を確認することで、確実に検知できる。
【００２３】
＜実施形態２＞
次に、本発明を具体化した実施形態２を図５を参照して説明する。本実施形態２のコネクタは、ホルダー２０を上記実施形態１とは異なる構成としたものである。その他の構成については上記実施形態１と同じであるため、同じ構成については、同一符号を付し、構造、作用及び効果の説明は省略する。
【００２４】
本実施形態２のホルダー２０は、把持部２１が左右３列に並んで形成された２つのホルダー２０Ａ、２０Ｂをハウジング本体１０の高さ方向に合体して形成されている。ホルダー２０Ａ、２０Ｂは小型であるため、容易に製造することができる。このように構成されたホルダー２０を利用したコネクタは以下に示すように組み付けられる。なお、合体のための構造としては、詳細に図示はしないが、例えば、両ホルダー２０Ａ、２０Ｂの対向面に相互に圧入可能な凹凸の嵌め合い構造等が考えられる。
【００２５】
先ず、各ホルダー２０Ａ、２０Ｂに端子金具４０が接続された電線５０を把持部２１に把持し、端子金具４０の後端部を矯正面に当接させ、端子金具４０をホルダー２０の前面に対して直角方向に延びた姿勢に矯正された状態に保持する。
【００２６】
次に、各ホルダー２０Ａ、２０Ｂを合体させる。そして、各端子金具４０を対応するキャビティ１１の貫通方向と同方向を向いた姿勢になるように、ホルダー２０をハウジング本体１１の後方に配置する。この状態からホルダー２０をハウジング本体１１の後面側へ近づけ、各端子金具４０を対応するキャビティ１１内に一括に挿入する。このように、各端子金具４０はキャビティ１１内に円滑に挿入され、ホルダー２０をハウジング本体１０の後面側に装着する。上記のように構成された実施形態２によれば、ホルダーの合体個数、合体方向を適切に選定することでコネクタの極数の変更に容易に対応することができる。
【００２７】
＜他の実施形態＞
本発明は上記記述及び図面によって説明した実施形態１及び２に限定されるものではなく、例えば次のような実施態様も本発明の技術範囲に含まれる。
（１）上記実施形態１及び２では、矯正面がホルダーの前面と同一面であるが、ホルダーの前面を凹ませて矯正面を形成し、端子金具の後端部を嵌め込むことにより、端子金具の取り付け姿勢を矯正してもよい。
（２）上記実施形態１及び２では、端子金具が接続された電線を把持部に圧入し把持したが、端子金具を接続する前の複数の電線を把持部に圧入し、その後、複数の端子金具を一括して圧着してもよい。
（３）上記実施形態１及び２では、端子接続部が角筒状をなしている雌形の端子金具について説明したが、本発明は、端子接続部が細長く延びた雄タブと称される形態である雄形の端子金具にも適用できる。
（４）上記実施形態２では、２つのホルダーを合体させた後、ハウジング本体の後面側に装着したが、各ホルダーを別々にハウジング本体の後面側に装着し合体させてもよい。
（５）上記実施形態２では、ハウジング本体の高さ方向に２個のホルダーを合体させたが、合体させるホルダーは３個以上であってもよい。また、ハウジング本体の幅方向に複数個のホルダーを合体させてもよい。
【図面の簡単な説明】
【００２８】
【図１】実施形態１のコネクタに係り、ホルダーをハウジング本体に装着する前の状態を示す側面図
【図２】実施形態１のコネクタに係り、端子金具付き電線を保持したホルダーの一部側面図
【図３】実施形態１のコネクタに係り、ホルダーをハウジング本体に装着する前の状態を示す平面図
【図４】実施形態１のコネクタに係り、ホルダーをハウジング本体に装着した状態を示す側面図
【図５】実施形態２のコネクタに係り、ホルダーをハウジング本体に装着する前の状態を示す斜視図
【符号の説明】
【００２９】
１０…ハウジング本体
１１…キャビティ
１４、３１…ロック機構（１４…係合突起、３１…係合孔）
２０、２０Ａ、２０Ｂ…ホルダー
２３…矯正面
４０…端子金具
４４…後端部
５０…電線
【図１】
2010055805.tif 000003
【図２】
2010055805.tif 000004
【図３】
2010055805.tif 000005
【図４】
2010055805.tif 000006
【図５】
2010055805.tif 000007
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
前後方向に沿ってキャビティが貫通して形成されたハウジング本体と、
前記キャビティ内へ挿入可能で電線の端末部に接続された端子金具と、
この端子金具を保持し前記ハウジング本体の後面側に装着可能なホルダーとを備えたコネクタであって、
前記ホルダーは、同ホルダーを前記ハウジング本体に装着する際に、前記端子金具を前記キャビティの貫通方向と同方向を向いた姿勢に保持しつつ前記キャビティ内に挿入可能となっていることを特徴とするコネクタ。
【請求項２】
前記ホルダーには、前記端子金具の後端部が当接することで端子金具の取り付け姿勢を矯正する矯正面が形成されていることを特徴とする請求項１に記載のコネクタ。
【請求項３】
前記ハウジング本体と前記ホルダーとの間には、前記端子金具を対応する前記キャビティへ挿入する動作に伴って抜け止めされた状態にし、前記ホルダーを前記ハウジング本体に装着可能とするロック機構が設けられていることを特徴とする請求項１又は請求項２に記載のコネクタ。
【請求項４】
前記ホルダーは、前記ハウジング本体の高さ方向あるいは幅方向に複数個を合体可能に形成されていることを特徴とする請求項１乃至請求項３のいずれかに記載のコネクタ。
【請求項５】
前記ロック機構により、前記ホルダーが前記ハウジング本体にロックされると、前記端子金具が前記キャビティの正規深さまで挿入されることを特徴とする請求項３又は請求項４に記載のコネクタ。
【手続補正２】
【補正対象書類名】明細書
【補正対象項目名】０００９
【補正方法】変更
【補正の内容】
【０００９】
請求項４の発明は、請求項１乃至請求項３のいずれかに記載のものにおいて、前記ホルダーは、前記ハウジング本体の高さ方向あるいは幅方向に複数個を合体可能に形成されているところに特徴を有する。
請求項５の発明は、請求項３又は請求項４に記載のものにおいて、前記ロック機構により、前記ホルダーが前記ハウジング本体にロックされると、前記端子金具が前記キャビティの正規深さまで挿入されるところに特徴を有する。
【手続補正３】
【補正対象書類名】明細書
【補正対象項目名】００１０
【補正方法】変更
【補正の内容】
【００１０】
＜請求項１の発明＞
端子金具はホルダーに対しキャビティの貫通方向と同方向を向いた姿勢で保持される。したがって、ホルダーをコネクタ本体の後面側に装着すれば、端子金具をそのままキャビティ内に円滑に挿入することができる。
＜請求項２の発明＞
端子金具の後端部を矯正面に当接させることにより、端子金具のホルダーに対する取り付け姿勢を容易に矯正することができる。
＜請求項３の発明＞
ロック機構により、ホルダーをハウジング本体に装着すると、端子金具がキャビティ内に抜け止め保持される。つまり、ロック機構は端子金具に対して抜け止め力を付与することができる。
＜請求項４の発明＞
複数個のホルダーの組み合わせを変更することにより、形状が相違するハウジング本体や、キャビティ数の異なるハウジング本体に対応することができる。また、個々のホルダーを小型にし、容易に製造することができる。
＜請求項５の発明＞
ロック機構により、ホルダーをハウジング本体にロックすると同時に、端子金具をキャビティの正規深さまで挿入することができる。